【手続補正書】
【提出日】令和2年10月27日(2020.10.27)
【手続補正１】
【補正対象書類名】特許請求の範囲
【補正対象項目名】全文
【補正方法】変更
【補正の内容】
【特許請求の範囲】
【請求項１】
画像信号源からの画像信号が入力される画像入力部と、
メモリと、
前記画像入力部に入力された画像信号を前記メモリに第１の周波数で書き込む動作をする書込部と、
前記第１の周波数よりも高い第２の周波数で、前記メモリに書き込まれた画像信号を読み出す読出部と、
前記読出部で読み出された画像信号を表示部に出力する画像出力部と、
表示部に出力する画像を補間する画像補間部と、
を備える画像表示装置。
【請求項２】
前記メモリは、シングルバッファであり、
前記読出部は、前記書込部による書き込み動作と非同期で、前記メモリに書き込まれた画像信号を読み出す、
請求項１に記載の画像表示装置。
【請求項３】
前記メモリは、ダブルバッファであり、
前記読出部は、前記書込部による書き込み動作と非同期で、前記メモリに書き込まれた画像信号を読み出す、
請求項１に記載の画像表示装置。
【請求項４】
前記メモリに書き込まれた画像信号のうち、読み出す領域を切出領域として指示する切出領域指示部を備え、
前記切出領域指示部は、前記切出領域の位置を変更可能である、
請求項１ないし請求項３のいずれか１項に記載の画像表示装置。
【請求項５】
前記画像補間部は、パノラマ画像や全天球画像の歪み補正を含む画像加工を行う画像加工部を備える、
請求項１ないし請求項４のいずれか１項に記載の画像表示装置。
【請求項６】
コントローラを備え、
前記読出部は、前記コントローラの操作に応じた領域ごとに、前記メモリに書き込まれた画像信号を読み出す、
請求項１ないし請求項５のいずれか１項に記載の画像表示装置。
【請求項７】
前記画像入力部は、異なる画像信号が入力される第１の画像入力部および第２の画像入力部を備え、
前記メモリは、第１のメモリおよび第２のメモリを備え、
前記書込部は、前記第１の画像入力部に入力された画像信号を前記第１のメモリに第１の周波数で書き込む動作をする第１の書込部と、前記第２の画像入力部に入力された画像信号を前記第２のメモリに第１の周波数で書き込む動作をする第２の書込部とを備え、
前記読出部は、前記第１の周波数よりも高い第２の周波数で、前記第１のメモリに書き込まれた画像信号を読み出す第１の読出部と、前記第２の周波数で、前記第２のメモリに書き込まれた画像信号を読み出す第２の読出部とを備え、
前記画像補間部は、前記第１の読出部により読み出された画像信号と、前記第２の読出部により読み出された画像信号とを合成する画像加工部を備える、
請求項１ないし請求項４のいずれか１項に記載の画像表示装置。
【請求項８】
前記第１の画像入力部に入力される画像信号は、複数のサブフレームを備える、
請求項７に記載の画像表示装置。
【請求項９】
前記画像補間部は、前記サブフレームから特定の画像を切り出すための画像加工指示部および画像加工処理部を備える、
請求項８に記載の画像表示装置。
【手続補正２】
【補正対象書類名】明細書
【補正対象項目名】００８９
【補正方法】変更
【補正の内容】
【００８９】
画像入力部４１０は、図示を省略する画像生成部によって生成され、出力されるボールＢＬの動画のフレーム画像を入力する。ボールの動画の１フレーム画像は、３２サブフレーム分のボールＢＬの画像からなる。図１０はボールの動画のサブフレーム画像ＳＦを示す図である。なお、図１０においては、簡略化のために、ボールＢＬのフレーム画像ＦＢを９枚のサブフレーム画像ＳＦで例示している。図１０に示すように、各サブフレーム画像ＳＦは、ボールＢＬの径、および回転状態が異なる画像となっている。３２枚のサブフレーム画像ＦＢでボールＢＬの動画の１フレーム画像ＦＢを構成することにより、ボールＢＬが投手Ｐ１の手元から離れ、回転しながら徐々にバッターＢＴに向かって近づいてくる様子を表現することができる。３２枚のサブフレーム画像ＳＦからなるボールＢＬの各フレーム画像ＦＢは、６０ｆｐｓのフレームレートで画像入力部４１０に入力される。
【手続補正３】
【補正対象書類名】明細書
【補正対象項目名】０１０２
【補正方法】変更
【補正の内容】
【０１０２】
なお、上記の進む距離は、オブジェクトの進行方向に対してである。オブジェクトが画面に平行に移動する場合の画面上の移動距離であり、画面に垂直な成分がある場合は、画面上の移動距離は４６３ｍｍより小さい。したがって、本実施の形態では、システムの設計上、画面上の移動距離が最大となる条件を考慮して読み出し周波数を決定している。また、表示装置を２台使用する３Ｄ表示の場合は、知覚される空間上の移動距離は４６３ｍｍとなるため、本実施の形態では、やはりこの条件を考慮してメモリ４２０からの読み出し周波数を決定している。
【手続補正４】
【補正対象書類名】明細書
【補正対象項目名】０１１１
【補正方法】変更
【補正の内容】
【０１１１】
ところで、メモリ４２０へのフレーム画像ＦＢの書き込み周波数が６０Ｈｚ、メモリ４２０からのサブフレーム画像ＳＦの読み出し周波数が４８０Ｈｚの場合、動画の１フレーム画像ＦＢに対して、８回の読み出し動作が行われる。この８回のうち、最初の１回は１フレーム画像ＦＢのメモリ４２０への書込み動作と同期してメモリ４２０からサブフレーム画像ＳＦを読み出してもよい。この場合、残りの７回は、１フレーム画像ＦＢの時間を８等分した時間間隔で、メモリ４２０からサブフレーム画像ＳＦを読み出してもよい。
【手続補正５】
【補正対象書類名】明細書
【補正対象項目名】０１１２
【補正方法】変更
【補正の内容】
【０１１２】
２．  動作
図示を省略する画像生成部は、投手Ｐ１の動画を含む背景動画を生成し、背景動画のフレーム画像ＦＰを画像表示装置４００に出力する。また、画像生成部は、ボールＢＬの動画を生成し、３２枚のサブフレーム画像で構成される１フレーム画像ＦＢを画像表示装置４００に出力する。画像表示装置４００の画像入力部４１０は、ボールＢＬの３２枚のサブフレーム画像で構成される１フレーム画像ＦＢを入力し、メモリ書込部４３０は、入力された１フレーム画像ＦＢを６０Ｈｚの周波数でメモリ４２０に書き込む。また、画像表示装置４００の画像入力部４１１は、投手Ｐ１の動画を含む背景動画の１フレーム画像ＦＰを入力し、メモリ書込部４３１は、入力された１フレーム画像ＦＰを６０Ｈｚの周波数でメモリ４２１に書き込む。
【手続補正６】
【補正対象書類名】明細書
【補正対象項目名】０１２５
【補正方法】変更
【補正の内容】
【０１２５】
５．２  動作
図示を省略する画像生成部は、投手Ｐ１の動画を含む背景動画を生成し、背景動画のフレーム画像ＦＰを画像表示装置４００Ａに出力する。また、画像生成部は、ボールＢＬの動画を生成し、３２枚のサブフレーム画像で構成される１フレーム画像ＦＢを画像表示装置４００Ａに出力する。画像表示装置４００Ａの画像入力部４１０は、ボールＢＬの３２枚のサブフレーム画像で構成される１フレーム画像ＦＢを入力する。画像入力部４１０は、また、クロマキー色指示部４９１からの指示により、ボールＢＬの１フレーム画像ＦＢを構成するサブフレーム画像ＳＦのうち、ボールＢＬの画像の周囲を、指定された色で一様に塗りつぶす。
【手続補正７】
【補正対象書類名】明細書
【補正対象項目名】０１３３
【補正方法】変更
【補正の内容】
【０１３３】
６．２  動作
図示を省略する画像生成部は、投手Ｐ１の動画を含む背景動画を生成し、背景動画のフレーム画像ＦＰを画像表示装置４００Ｂに出力する。また、画像生成部は、ボールＢＬの動画を生成し、３２枚のサブフレーム画像で構成される１フレーム画像ＦＢを画像表示装置４００Ｂに出力する。画像表示装置４００Ｂの画像入力部４１０は、ボールＢＬの３２枚のサブフレーム画像で構成される１フレーム画像ＦＢを入力する。
【手続補正８】
【補正対象書類名】明細書
【補正対象項目名】０１４０
【補正方法】変更
【補正の内容】
【０１４０】
７．  実施の形態３の別の変形例
７．１  全体の構成
実施の形態３のさらに別の変形例について、図１７および図１８を用いて説明する。図１７は、本変形例における画像表示装置のブロック図である。図１８は、本変形例におけるボールの動画のサブフレーム画像を示す図である。本変形例は、実施の形態３の応用例であり、特定のサブフレームの物体を表示しないことで、予測能力を訓練するシステムに本開示の画像表示装置を適用したものである。
【手続補正９】
【補正対象書類名】図面
【補正対象項目名】図３
【補正方法】変更
【補正の内容】
【図３】
2019101192.tif 000001
【手続補正１０】
【補正対象書類名】図面
【補正対象項目名】図１４
【補正方法】変更
【補正の内容】
【図１４】
2019101192.tif 000002
【手続補正１１】
【補正対象書類名】図面
【補正対象項目名】図１５
【補正方法】変更
【補正の内容】
【図１５】
2019101192.tif 000003
【手続補正１２】
【補正対象書類名】図面
【補正対象項目名】図１６
【補正方法】変更
【補正の内容】
【図１６】
2019101192.tif 000004
【手続補正１３】
【補正対象書類名】図面
【補正対象項目名】図１７
【補正方法】変更
【補正の内容】
【図１７】
2019101192.tif 000005